(57)【要約】【課題】術者は、患者の傷病に対する診断、治療、手術等を行う際、必須でない操作については忘れてしまうことがある。また、術者は、診断等を行う都度、患者に関する情報を入力するという煩雑な操作を強いられる。【解決手段】患者の傷病に対する診断、治療又は手術を行うための医療機器を操作するためのキーボードをカバーするカバー本体と、診断、治療又は手術に関する諸情報を所定の読取装置が読み取り可能なフォーマットで記録する情報記録媒体とを有するキーボードカバーを提供する。【選択図】図２
2014144073.tif 000002
【特許請求の範囲】
【請求項１】
患者の傷病に対する診断、治療又は手術を行うための医療機器を操作するためのキーボードをカバーするカバー本体と、
前記診断、治療又は手術に関する諸情報を所定の読取装置により読み取り可能なフォーマットで記録する情報記録媒体と、
を有すること
を特徴とする、キーボードカバー。
【請求項２】
前記読取装置は、
前記キーボードに搭載されており、
前記情報記録媒体は、
前記カバー本体によって前記キーボードがカバーされたときに前記読取装置が前記諸情報を読み取ることができる範囲に位置するように該カバー本体に取り付けられていること
を特徴とする、請求項１に記載のキーボードカバー。
【請求項３】
前記情報記録媒体は、
前記カバー本体に貼付されたＩＣタグシールであること
を特徴とする、請求項１又は請求項２に記載のキーボードカバー。
【請求項４】
前記情報記録媒体は、
前記諸情報を前記読取装置に所定回数読み取られた時に消去すること
を特徴とする、請求項１から請求項３の何れか一項に記載のキーボードカバー。
【請求項５】
前記諸情報は、次の情報（Ａ）〜（Ｄ）
（Ａ）前記診断、治療又は手術を受ける患者の情報
（Ｂ）前記診断、治療又は手術を行う術者の情報
（Ｃ）前記診断、治療又は手術の術式の情報
（Ｄ）前記診断、治療又は手術に用いられる医療機器の情報
のうち少なくとも１つの情報を含むこと
を特徴とする、請求項１から請求項４の何れか一項に記載のキーボードカバー。
【請求項６】
請求項１から請求項４の何れか一項に記載のキーボードカバーと、
前記キーボードカバーのカバー本体によりカバーされるキーボードと、
前記キーボードカバーが有する情報記録媒体に記録された諸情報を読み取ることが可能な読取装置と、
前記読取装置と接続されるプロセッサと、
を備え、
前記諸情報は、
前記診断、治療又は手術を受ける患者の情報を含み、
前記プロセッサは、
前記読取装置が前記情報記録媒体から読み取った患者の情報に基づいて所定の表示装置に該患者の情報を表示させること
を特徴とする、医療システム。
【請求項７】
請求項１から請求項４の何れか一項に記載のキーボードカバーと、
前記キーボードカバーのカバー本体によりカバーされるキーボードと、
前記キーボードカバーが有する情報記録媒体に記録された諸情報を読み取ることが可能な読取装置と、
前記読取装置及び前記キーボードと接続されるプロセッサと、
を備え、
前記諸情報は、
前記診断、治療又は手術を行う術者の情報を含み、
前記プロセッサは、
術者による操作のプリファレンス情報について術者毎に対応するものを記憶する記憶部
を備え、
前記読取装置が前記情報記録媒体から読み取った術者の情報に対応するプリファレンス情報を前記記憶部より読み出し、読み出されたプリファレンス情報に基づいて前記キーボードに設置された少なくとも１つのキーに対して操作機能の設定を行うこと
を特徴とする、医療システム。
【請求項８】
前記プロセッサは、
前記プロセッサの機能を実行するための複数のスイッチを有する操作部
を備え、
前記記憶部より読み出されたプリファレンス情報に基づいて前記複数のスイッチのうち少なくとも１つのスイッチに対しても操作機能の設定を行うこと
を特徴とする、請求項７に記載の医療システム。
【請求項９】
前記プロセッサは、
内視鏡と接続されており、
前記記憶部より読み出されたプリファレンス情報に基づいて前記内視鏡に設置された少なくとも１つの操作スイッチに対しても操作機能の設定を行うこと
を特徴とする、請求項７又は請求項８に記載の医療システム。
【請求項１０】
請求項１から請求項４の何れか一項に記載のキーボードカバーと、
前記キーボードカバーのカバー本体によりカバーされるキーボードと、
前記キーボードカバーが有する情報記録媒体に記録された諸情報を読み取ることが可能な読取装置と、
前記読取装置及び前記キーボードと接続されるプロセッサと、
を備え、
前記諸情報は、
前記診断、治療又は手術の術式の情報を含み、
前記プロセッサは、
術者による操作の設定情報について術式毎に対応するものを記憶する記憶部
を備え、
前記読取装置が前記情報記録媒体から読み取った術式の情報に対応する設定情報を前記記憶部より読み出し、読み出された設定情報に基づいて前記キーボードに設置された少なくとも１つのキーに対して操作機能の設定を行うこと
を特徴とする、医療システム。
【請求項１１】
請求項１から請求項４の何れか一項に記載のキーボードカバーと、
前記キーボードカバーのカバー本体によりカバーされるキーボードと、
前記キーボードカバーが有する情報記録媒体に記録された諸情報を読み取ることが可能な読取装置と、
前記読取装置及び前記キーボードと接続されるプロセッサと、
を備え、
前記諸情報は、
前記診断、治療又は手術に用いられる医療機器の情報を含み、
前記プロセッサは、
術者による操作の設定情報について医療機器毎に対応するものを記憶する記憶部
を備え、
前記読取装置が前記情報記録媒体から読み取った医療機器の情報に対応する設定情報を前記記憶部より読み出し、読み出された設定情報に基づいて前記キーボードに設置された少なくとも１つのキーに対して操作機能の設定を行うこと
を特徴とする、医療システム。
【請求項１２】
前記プロセッサは、
前記プロセッサの機能を実行するための複数のスイッチを有する操作部
を備え、
前記記憶部より読み出された設定情報に基づいて前記複数のスイッチのうち少なくとも１つのスイッチに対しても操作機能の設定を行うこと
を特徴とする、請求項１０又は請求項１１に記載の医療システム。
【請求項１３】
前記プロセッサは、
内視鏡と接続されており、
前記記憶部より読み出された設定情報に基づいて前記内視鏡に設置された少なくとも１つの操作スイッチに対しても操作機能の設定を行うこと
を特徴とする、請求項１０から請求項１２の何れか一項に記載の医療システム。
【請求項１４】
光源を搭載する光源装置
を備え、
前記読取装置は、
前記光源が点灯されるタイミングで、前記情報記録媒体に記録された諸情報の読み取りを行うこと
を特徴とする、請求項６から請求項１３の何れか一項に記載の医療システム。
【発明の詳細な説明】
【技術分野】
【０００１】
本発明は、患者の傷病に対する診断、治療、手術等を行うための医療機器を操作するためのキーボードをカバーするキーボードカバー及び該キーボードカバーを備える医療システムに関する。
【背景技術】
【０００２】
患者の体腔内の傷病に対する診断、治療、手術等（以下、「診断等」と記す。）を行うための内視鏡システムが知られている。この種の内視鏡システムには、術者による診断等の行為を補助するため、様々な機能が搭載されている。内視鏡システムに搭載されている機能としては、例えば、撮影された内視鏡観察画像に患者に関する情報をスーパーインポーズする機能や、内視鏡観察画像をキャプチャ・録画する機能、内視鏡観察画像を二値化表示やエンハンス表示する機能、内視鏡観察画像の輝度・色相を調節する機能等が挙げられる。術者は、内視鏡やプロセッサ、キーボード等の各種装置を操作することにより、こちらの機能を実行させることができる。
【０００３】
一般に、内視鏡やプロセッサ、キーボード等の各種装置に設けられている操作スイッチは、機能が固定されている。しかし、操作スイッチに割り当てられる機能の最適なレイアウトは、例えば術者の好みや癖等によって異なる。また、使用可能な機能は、内視鏡システムの構成（例えばプロセッサに接続される内視鏡の種類）毎で異なる。また、要求される機能（例えば使用頻度の高い機能）は、体腔内のどの部位を診断等するかによって異なる。そのため、操作スイッチは、機能が固定されていると、使い勝手が悪い場合がある。このような事情を鑑み、例えば特許文献１に、操作スイッチの機能をカスタマイズすることが可能な内視鏡システムが提案されている。
【先行技術文献】
【特許文献】
【０００４】
【特許文献１】特開２００６−２７１６９７号公報
【発明の概要】
【発明が解決しようとする課題】
【０００５】
特許文献１に記載の内視鏡システムでは、カスタマイズした機能に設定変更する操作を、例えば術者が新たな診断等を開始するタイミング毎など適時に行う必要がある。しかし、この種の操作は、診断等を行うにあたり必須となる操作ではない。そのため、術者は、操作スイッチの機能の設定変更操作を忘れる虞がある。術者は、操作スイッチの機能の設定変更操作を行わない限り、使い勝手の悪い内視鏡システムで診断等を行わなければならない。
【０００６】
また、術者は、内視鏡観察画像に患者に関する情報をスーパーインポーズさせるため、患者に関する情報を新たな診断等を開始する毎に入力する必要がある。しかし、このような入力操作は術者にとって煩雑であるといった指摘がある。
【０００７】
本発明は上記の事情に鑑みてなされたものであり、その目的とするところは、診断等を開始する毎に要求されていた操作負担を軽減し、かつ操作し忘れを防ぐのに好適なものを提供することである。
【課題を解決するための手段】
【０００８】
本発明の一形態によれば、診断等を行うための医療機器を操作するためのキーボードをカバーするカバー本体と、診断等に関する諸情報を所定の読取装置により読み取り可能なフォーマットで記録する情報記録媒体とを有するキーボードカバーが提供される。
【０００９】
一般に、医療機器を操作するためのキーボードは、防水・衛生管理等のため、診断等が行われる際に未使用のキーボードカバーが被せられる。キーボードカバーは、ディスポーザブル品であるため、診断等が終わった時点で破棄される。診断等毎にキーボードカバーを替える作業は、診断等を行うにあたり必須となる作業である。術者は、キーボードカバーを替える作業を行うことにより、診断等に関する諸情報を記録した情報記録媒体を、意識することなく所定の位置（例えばキーボードに近接した位置であり、所定の読取装置の通信範囲内）に置くことができる。情報記憶媒体には、例えば術者がこれから行う診断等に関する諸情報が記録されている。所定の読取装置は、所定の位置（通信範囲内）に置かれた情報記録媒体から諸情報を読み取り、読み取った諸情報を例えばビデオプロセッサに転送することができる。これにより、例えば、ビデオプロセッサは、診断等に関する諸情報に基づいて操作スイッチの機能をこれから行う診断等に適した内容に設定変更される。また、ビデオプロセッサは、診断等に関する諸情報に基づいて患者に関する情報のスーパーインポーズ表示を行うこともできる。すなわち、本発明の一形態に係るキーボードカバーを採用することにより、術者が、例えば、操作スイッチの機能の変更操作や患者に関する情報の入力等を行うことなく、ビデオプロセッサ等に対して操作スイッチの機能の設定変更や患者に関する情報のスーパーインポーズ表示等を自動的に行わせることが可能なシステムが提供される。
【００１０】
読取装置は、例えばキーボードに搭載されている。情報記録媒体は、カバー本体によってキーボードがカバーされたときに読取装置が諸情報を読み取ることができる範囲に位置するようにカバー本体に取り付けられたものとしてもよい。
【００１１】
情報記録媒体は、例えば、カバー本体に貼付されたバーコードシール又はＩＣタグシールである。
【００１２】
また、情報記録媒体は、諸情報を読取装置に所定回数読み取られた時に消去する構成としてもよい。
【００１３】
諸情報は、例えば、次の情報（Ａ）〜（Ｄ）
（Ａ）診断、治療又は手術を受ける患者の情報
（Ｂ）診断、治療又は手術を行う術者の情報
（Ｃ）診断、治療又は手術の術式の情報
（Ｄ）診断、治療又は手術に用いられる医療機器の情報
のうち少なくとも１つの情報を含むものとしてもよい。
【００１４】
また、本発明の一形態に係る医療システムは、上記キーボードカバーと、キーボードカバーのカバー本体によりカバーされるキーボードと、キーボードカバーが有する情報記録媒体に記録された諸情報を読み取ることが可能な読取装置と、読取装置と接続されるプロセッサとを備える。諸情報は、診断等を受ける患者の情報を含む。プロセッサは、読取装置が情報記録媒体から読み取った患者の情報に基づいて所定の表示装置に患者の情報を表示させる。
【００１５】
また、本発明の別の形態に係る医療システムは、上記キーボードカバーと、キーボードカバーのカバー本体によりカバーされるキーボードと、キーボードカバーが有する情報記録媒体に記録された諸情報を読み取ることが可能な読取装置と、読取装置及びキーボードと接続されるプロセッサとを備える。プロセッサは、術者による操作のプリファレンス情報について術者毎に対応するものを記憶する記憶部を備える。諸情報は、例えば診断等を行う術者の情報を含む。プロセッサは、読取装置が情報記録媒体から読み取った術者の情報に対応するプリファレンス情報を記憶部より読み出し、読み出されたプリファレンス情報に基づいてキーボードに設置された少なくとも１つのキーに対して操作機能の設定を行う。
【００１６】
また、本発明の別の形態に係る医療システムは、上記キーボードカバーと、キーボードカバーのカバー本体によりカバーされるキーボードと、キーボードカバーが有する情報記録媒体に記録された諸情報を読み取ることが可能な読取装置と、読取装置及びキーボードと接続されるプロセッサとを備える。プロセッサは、術者による操作の設定情報について術式毎に対応するものを記憶する記憶部を備える。諸情報は、診断等の術式の情報を含む。プロセッサは、読取装置が情報記録媒体から読み取った術式の情報に対応する設定情報を記憶部より読み出し、読み出された設定情報に基づいてキーボードに設置された少なくとも１つのキーに対して操作機能の設定を行う。
【００１７】
また、本発明の別の形態に係る医療システムは、上記キーボードカバーと、キーボードカバーのカバー本体によりカバーされるキーボードと、キーボードカバーが有する情報記録媒体に記録された諸情報を読み取ることが可能な読取装置と、読取装置及びキーボードと接続されるプロセッサとを備える。プロセッサは、術者による操作の設定情報について医療機器毎に対応するものを記憶する記憶部を備える。諸情報は、診断等に用いられる医療機器の情報を含む。プロセッサは、読取装置が情報記録媒体から読み取った医療機器の情報に対応する設定情報を記憶部より読み出し、読み出された設定情報に基づいてキーボードに設置された少なくとも１つのキーに対して操作機能の設定を行う。
【００１８】
また、プロセッサは、プロセッサの機能を実行するための複数のスイッチを有する操作部を備え、記憶部より読み出されたプリファレンス情報又は設定情報に基づいて複数のスイッチのうち少なくとも１つのスイッチに対しても操作機能の設定を行う構成としてもよい。
【００１９】
また、プロセッサは、内視鏡と接続されており、記憶部より読み出されたプリファレンス情報又は設定情報に基づいて内視鏡に設置された少なくとも１つの操作スイッチに対しても操作機能の設定を行う構成としてもよい。
【００２０】
また、医療システムは、光源を搭載する光源装置を備えた構成としてもよい。この場合、読取装置は、光源が点灯されるタイミングで、情報記録媒体に記録された諸情報の読み取りを行うよう構成されてもよい。
【発明の効果】
【００２１】
本発明によれば、診断等を開始する毎に要求されていた操作の負担を軽減し、かつ操作し忘れを防ぐのに好適なキーボードカバー及び医療システムが提供される。
【図面の簡単な説明】
【００２２】
【図１】本発明の実施形態の電子内視鏡システムの構成を示すブロック図である。
【図２】本発明の実施形態のキーボードカバーの構成を示す図である。
【図３】本発明の実施形態においてＩＣタグリーダが診断等に関する諸情報をＩＣタグから読み出す際のフローを示す図である。
【図４】本発明の実施例１において診断等に関する諸情報を用いて実行される処理フローを示す図である。
【図５】本発明の実施例２において診断等に関する諸情報を用いて実行される処理フローを示す図である。
【図６】本発明の実施例３において診断等に関する諸情報を用いて実行される処理フローを示す図である。
【図７】本発明の実施例４において診断等に関する諸情報を用いて実行される処理フローを示す図である。
【図８】別の実施形態のキーボード及びキーボードカバーの構成を示す図である。
【発明を実施するための形態】
【００２３】
以下、図面を参照して、本発明の実施形態に係る電子内視鏡システムについて説明する。
【００２４】
［電子内視鏡システム１の構成］
図１は、本実施形態の電子内視鏡システム１の構成を示すブロック図である。図１に示されるように、電子内視鏡システム１は、患者の診断等を行うための医療機器システムであり、電子内視鏡１００、ビデオプロセッサ２００及びモニタ３００を備えている。電子内視鏡１００とビデオプロセッサ２００は、不図示のコネクタ部を介して光学的にかつ電気的に接続されている。本実施形態において、ビデオプロセッサ２００は、電子内視鏡１００より入力される撮像信号を処理してモニタ３００に表示させることが可能な画像を生成する画像処理装置と、自然光の届かない体腔内を電子内視鏡１００を介して照明する光源装置とを一体に備えた一体型プロセッサである。別の実施形態では、画像処理装置と光源装置とを一体型装置でなく別体の装置で構成してもよい。また、ビデオプロセッサ２００には、キーボード４００、プリンタ５００、ＰＣ（Personal Computer）６００及びＶＴＲ（Video Tape Recorder）７００が接続されている。
【００２５】
図１に示されるように、ビデオプロセッサ２００は、ＣＰＵ（Central Processing Unit）２０２、タイミング回路２０４、光源部２０６、映像信号処理回路２０８、Ｒメモリ２１０Ｒ、Ｇメモリ２１０Ｇ、Ｂメモリ２１０Ｂ、画像処理回路２１２、メモリ２１４、加算回路２１６、アンプ２１８、キャラクタ生成回路２２０及び操作パネル２２２を有している。
【００２６】
ＣＰＵ２０２は、電子内視鏡システム１を構成する各ブロックを制御する。タイミング回路２０４は、信号の処理タイミングを調整するクロックパルスを電子内視鏡システム１内の各ブロックに出力する。
【００２７】
光源部２０６は、図示省略されたランプ、イグナイタ、集光レンズ、絞りを有している。ランプは、イグナイタによる始動後、白色光を放射する。ランプは、例えば、キセノンランプ、ハロゲンランプ、水銀ランプ、メタルハライドランプ等の高輝度ランプである。また、ランプは、白色ＬＥＤ（Light Emitting Diode）であってもよい。
【００２８】
図１に示されるように、電子内視鏡１００は、ＬＣＢ（Light Carrying Bundle）１０２、配光レンズ１０４、対物レンズ１０６、固体撮像素子１０８、ＣＰＵ１１０、メモリ１１２、タイミング回路１１４、駆動回路１１６及び手元操作部１１８を有している。
【００２９】
ＬＣＢ１０２の一端は、ビデオプロセッサ２００に差し込まれることにより、光源部２０６と結合する位置に配される。そのため、光源部２０６において、ランプから放射された照明光は、集光レンズによって集光されると共に絞りを介して適正な光量に制限された後、ＬＣＢ１０２の一端に入射する。ＬＣＢ１０２の一端に入射した照明光は、ＬＣＢ１０２内を全反射を繰り返すことによって伝播する。ＬＣＢ１０２内を伝播した照明光は、電子内視鏡１００の先端部内に配されたＬＣＢ１０２の他端より射出される。ＬＣＢ１０２の他端より射出された照明光は、配光レンズ１０４を介して被写体を照明する。照明光により照明された被写体からの戻り光は、対物レンズ１０６を介して固体撮像素子１０８の受光面上の各画素で光学像を結ぶ。
【００３０】
固体撮像素子１０８は、例えばベイヤ型画素配置を有する単板式カラーＣＣＤ（Charge Coupled Device）イメージセンサであり、受光面上の各画素で結像した光学像を光量に応じた電荷として蓄積して、Ｒ（Red）、Ｇ（Green）、Ｂ（Blue）の各色に応じた撮像信号に変換する。変換された撮像信号は、ビデオプロセッサ２００が有する映像信号処理回路２０８に出力される。固体撮像素子１０８は、例えばＣＭＯＳ（Complementary Metal
Oxide Semiconductor）イメージセンサ等の他のイメージャであってもよい。
【００３１】
メモリ１１２は、電子内視鏡１００のＩＤ、電子内視鏡１００の種類、電子内視鏡１００にて操作可能な機能、固体撮像素子１０８のプロパティ情報（例えば画素数やフレームレート）など、電子内視鏡１００に関する情報を記憶している。電子内視鏡１００の種類には、例えば、喉頭内視鏡、気管支鏡、上部消化管内視鏡、小腸内視鏡、大腸内視鏡がある。電子内視鏡１００にて操作可能な機能には、例えば、キャプチャ機能、プリント機能、録画機能、エンハンス機能、ズーム機能、送気送水機能がある。術者は、手元操作部１１８に設けられた各種操作スイッチを操作することにより、これらの機能を実行させることができる。
【００３２】
ＣＰＵ１１０は、例えば電子内視鏡のＩＤ、種類、固体撮像素子１０８のプロパティ情報など、ビデオプロセッサ２内での処理に必要な情報をＣＰＵ２０２に渡す。ＣＰＵ２０２は、ＣＰＵ１１０より情報を受け取ると、受け取った情報に基づき、例えばビデオプロセッサ２内の各ブロックの処理タイミングを変更するようにタイミング回路２０４に対して指示したり、画像処理回路２１２内のＲＧＢゲイン値を調整したりするなどし、現在のシステム構成において最適な色が再現されるように処理を行う。また、ＣＰＵ１１０は、メモリ２１４に格納されているビデオプロセッサ２における画像処理に関する情報をＣＰＵ２０２より受信する。ＣＰＵ１１０は、受信された情報に基づいてタイミング回路１１４を介して駆動回路１１６を制御することにより、固体撮像素子１０８をビデオプロセッサ２００側で処理される映像のフレームレートに同期したタイミングで駆動させる。
【００３３】
映像信号処理回路２０８は、固体撮像素子１０８より入力される撮像信号に、クランプ、ニー、γ補正、補間処理、ＡＧＣ（Auto Gain Control）、ＡＤ変換、マトリクス処理など、各種信号処理を施す。映像信号処理回路２０８は、マトリクス処理後のＲ信号、Ｇ信号、Ｂ信号の各信号を夫々、Ｒメモリ２１０Ｒ、Ｇメモリ２１０Ｇ、Ｂメモリ２１０Ｂに出力する。Ｒメモリ２１０Ｒ、Ｇメモリ２１０Ｇ、Ｂメモリ２１０Ｂの各フレームメモリは夫々、タイミング回路２０４より入力されるタイミングパルスに基づいて、Ｒ信号、Ｇ信号、Ｂ信号をフレーム単位でバッファリングする。バッファリングされた各信号は、タイミング回路２０４によって制御されたタイミングでフレームメモリから掃き出されて、ＮＴＳＣ（National Television System Committee）やＰＡＬ（Phase Alternation Line）等の所定の表示フォーマットの映像信号に変換された後、画像処理回路２１２に入力する。
【００３４】
画像処理回路２１２は、所定の表示フォーマットの映像信号に対して、明るさ補正、ノイズ低減、マスク処理等の信号処理を施す。また、画像処理回路２１２は、術者による操作に従い、例えば血管を強調するエンハンス処理を行うことができる。画像処理回路２１２は、信号処理後の映像信号をＤ／Ａ変換して加算回路２１６に出力する。
【００３５】
ビデオプロセッサ２００の操作パネル２２２には、各種機能を実行するための操作スイッチが設けられている。また、キーボード４００には、各種機能を実行するためのキーが設けられている。操作パネル２２２やキーボード４００にて操作可能な機能には、例えば、キャプチャ機能、プリント機能、録画機能、エンハンス機能、二値化表示機能、ズーム機能、送気送水機能、ポンプ圧設定機能、ホワイトバランス調整機能、輝度調節機能、色相調節機能がある。また、術者は、キーボード４００を用いて、患者名や患者の年齢・性別、術者名、施設名、術式（内視鏡的粘膜切除術、胃切除術、結腸切除術等）、術者の所見やコメントなど、各種文字情報を入力することができる。
【００３６】
キャラクタ生成回路２２０は、キーボード４００を通じて術者により入力された文字情報に基づいてキャラクタ信号を生成して、加算回路２１６に出力する。
【００３７】
加算回路２１６は、キャラクタ生成回路２２０より入力されるキャラクタ信号による文字情報が画面内の所定位置に表示されるように、画像処理回路２１２より入力される映像信号にキャラクタ信号を付加する。キャラクタ信号付加後の映像信号は、アンプ２１８によって増幅された後、モニタ３００やプリンタ５００、ＰＣ６００、ＶＴＲ７００に出力される。例えば、アンプ２１８による増幅後の映像信号がモニタ３００に入力することにより、モニタ３００の表示画面には、文字情報が所定位置に配置された内視鏡観察画像が表示される。
【００３８】
［キーボードカバー４１０の構成］
一般に、医療機器システムに備えられるキーボードは、防水・衛生管理等のため、診断等が行われる際に未使用のキーボードカバーが被せられる。図２（ａ）、図２（ｂ）に夫々、キーボード４００をカバーするキーボードカバー４１０の平面図、側面図を示す。図２（ａ）、図２（ｂ）の各図に示されるように、キーボードカバー４１０は、カバー本体４１２を有している。カバー本体４１２は、例えば、キーボード４００の底面以外のほぼ全体を覆うことが可能な形状及びサイズを有している。カバー本体４１２の一側面には、ＩＣタグシール４１４が貼付されている。ＩＣタグシール４１４には、ＩＣタグ４１６が埋め込まれている。
【００３９】
電子内視鏡システム１を用いた診断等は、例えば予め計画されたスケジュールに従い、一日のうちに複数の患者の夫々に対して（つまり一日に複数回）行われる。ＩＣタグ４１６には、当日予定されている複数回の診断等のうち１回の診断等に関する諸情報が記憶されている。すなわち、諸情報を記憶したＩＣタグ４１６を有するキーボードカバー４１０は、当日予定されている夫々の診断等と１対１で対応付けられる。
【００４０】
診断等に関する諸情報には、例えば次の情報（Ａ）〜（Ｄ）
（Ａ）診断等を受ける患者の情報
（Ｂ）診断等を行う術者の情報
（Ｃ）診断等の術式の情報
（Ｄ）診断等に用いられる医療機器の情報
のうち少なくとも１つの情報が含まれる。より詳細には、情報（Ａ）は、例えば、患者名や患者の年齢・性別等である。情報（Ｂ）は、例えば、術者名、術者の配属科・専門分野、勤務する施設名等である。情報（Ｃ）は、例えば、内視鏡的粘膜切除術、胃切除術、結腸切除術等である。情報（Ｃ）、すなわち術式の情報は、手術に用いられる処置具や対象部位等の情報を包含する。情報（Ｄ）は、例えば、電子内視鏡の種類（喉頭内視鏡、気管支鏡、上部消化管内視鏡、小腸内視鏡、大腸内視鏡等）、電子内視鏡及びビデオプロセッサの型番等である。
【００４１】
本実施形態では、複数枚重ねられたキーボードカバー４１０がキーボード４００に被せられている。キーボードカバー４１０が重ねられる順序は、当日の予定に従う。具体的には、夫々の診断等に対応するキーボードカバー４１０は、上から、当日予定されている診断等の順序で重ねられている。例えば、当日最初に予定されている診断等に対応するキーボードカバー４１０は、最も上に重ねられる。当日最後に予定されている診断等に対応するキーボードカバー４１０は、最も下に重ねられる。キーボードカバー４１０は、ディスポーザブル品である。そのため、術者は、診断等が終わった段階でそのときに最も上に重ねられているキーボードカバー４１０を剥がして破棄する。１回の診断等が完了した時点で最も上に重ねられているキーボードカバー４１０を剥がすことにより、次に予定されている診断等に対応するキーボードカバー４１０が露出する（最も上になる。）。
【００４２】
［診断等に関する諸情報の読み取りフロー］
キーボード４００には、ＩＣタグリーダ４２０が内蔵されている。ＩＣタグリーダ４２０は、ビデオプロセッサ２００のＣＰＵ２０２によって制御されることにより、所定範囲内に位置するＩＣタグの情報を読み取ることができる。図３に、ＩＣタグリーダ４２０による諸情報の読み取りフローを示す。
【００４３】
ＩＣタグリーダ４２０は、例えば一般的なＲＦＩＤ（Radio Frequency IDentification）規格に準拠しており、近距離通信のみ可能となっている。ＩＣタグ４１６は、キーボードカバー４１０をキーボード４００に被せたとき、キーボード４００の側面に近接する位置に配置される。この位置は、ＩＣタグリーダ４２０の通信圏内である。このように、本実施形態では、術者は、キーボードカバー４１０をキーボード４００に被せるだけでＩＣタグ４１６とＩＣタグリーダ４２０とを互いに通信可能な位置関係に置くことができる。なお、ＩＣタグリーダ４２０は、キーボード４００とは別個独立した装置であってもよい。
【００４４】
［図３のＳ１（診断等に関する諸情報の送信要求）］
ＩＣタグリーダ４２０は、当日予定されている診断等のスケジュールに従い、所定の信号をユニキャストする。より詳細には、ユニキャスト信号の送信タイミングは、次の診断等が開始されるタイミングであり、例えば光源部２０６のランプの点灯操作が行われた時である。ユニキャスト信号には、次に予定されている診断等に対応するＩＣタグ４１６に対して諸情報の送信を要求する記述が埋め込まれている。
【００４５】
［図３のＳ２（診断等に関する諸情報の送信）］
ＩＣタグ４１６は、ＩＣタグリーダ４２０の送信電波（ユニキャスト信号）を電源として動作し、送信要求に含まれるＩＤと自己のＩＤとが一致するか否かを確認する。両者のＩＤが不一致のＩＣタグ４１６は、ＩＣタグリーダ４２０の送信要求に応答しない。両者のＩＤが一致するＩＣタグ４１６は、自己に記憶されている諸情報をＩＣタグリーダ４２０に送信する。
【００４６】
［図３のＳ３（診断等に関する諸情報の消去）］
ＩＣタグリーダ４２０は、ＩＣタグ４１６より諸情報を受信すると、ＩＣタグ４１６（諸情報の送信元）に対して再度ユニキャスト信号を送信する。ＩＣタグ４１６（諸情報の送信元）は、個人情報保護等のため、ＩＣタグリーダ４２０の送信電波（ユニキャスト信号）に基づいて自己に記憶されている諸情報を消去する。
【００４７】
［診断等に関する諸情報を用いて実行される各処理の実施例］
ＩＣタグリーダ４２０によって読み取られた諸情報は、ビデオプロセッサ２００のＣＰＵ２０２へ転送される。ＣＰＵ２０２は、転送された諸情報を用いて、術者による診断等が行われる前に所定の処理を実行する。以下、実行される処理の各実施例の概要である。
・実施例１
諸情報が「（Ａ）診断等を受ける患者の情報」であるときの処理例
・実施例２
諸情報が「（Ｂ）診断等を行う術者の情報」であるときの処理例
・実施例３
諸情報が「（Ｃ）診断等の術式の情報」であるときの処理例
・実施例４
諸情報が「（Ｄ）診断等に用いられる医療機器の情報」であるときの処理例
【００４８】
なお、診断等を受ける患者の白衣等にもＩＣタグシールを貼付してもよい。患者の白衣等に貼付されたＩＣタグシールのＩＣタグは、例えば不図示のリーダ装置によって読み取られる。この場合、ビデオプロセッサ２００のＣＰＵ２０２は、ＩＣタグリーダ４２０によって読み取られた諸情報（キーボードカバー４１０のＩＣタグ４１６内に記憶された諸情報）と、患者の白衣等のＩＣタグより読み取られた諸情報とが一致するか否かを判定する。両者の諸情報が一致しない場合、スケジュールが変更された等の可能性がある。そのため、例えばモニタ３００の表示画面に所定のメッセージを表示させたり、光源部２０６のランプへの通電を遮断してランプを点灯させることができないようにしてもよい。
【００４９】
以下に説明する実施例１〜４は、説明の複雑化を避ける便宜上、諸情報が情報（Ａ）〜（Ｄ）の何れか一項目の情報しか有さない例となっている。しかし、諸情報は、情報（Ａ）〜（Ｄ）のうち二項目以上の情報を含むものであってもよい。この場合の実施例は、実施例１〜４のうち二以上の実施例を適宜組み合わせた内容となり、これも本発明の範疇である。
【００５０】
［実施例１］
［図４のＳ１０１（情報（Ａ）の受信）］
図４は、諸情報を用いて実行される実施例１の処理フローを示す。図４に示されるように、実施例１では、ビデオプロセッサ２００のＣＰＵ２０２は、ＩＣタグリーダ４２０から情報（Ａ）を受信する。情報（Ａ）には、例えば、患者名や患者の年齢・性別等を表す情報が含まれる。
【００５１】
［図４のＳ１０２（キャラクタ信号の生成）］
ビデオプロセッサ２００のＣＰＵ２０２は、ＩＣタグリーダ４２０より受信した情報（Ａ）をキャラクタ生成回路２２０に出力する。キャラクタ生成回路２２０は、ＣＰＵ２０２より入力された情報（Ａ）に基づいて患者名や患者の年齢・性別等のキャラクタ信号を生成する。
【００５２】
［図４のＳ１０３（文字情報が所定位置に配置された内視鏡観察画像の表示）］
キャラクタ生成回路２２０は、情報（Ａ）に基づいて生成したキャラクタ信号を加算回路２１６に出力する。加算回路２１６は、キャラクタ生成回路２２０より入力されるキャラクタ信号を、画像処理回路２１２より入力される映像信号に付加する。キャラクタ信号付加後の映像信号は、アンプ２１８によって増幅された後、モニタ３００等に出力される。映像信号が例えばモニタ３００に入力することにより、モニタ３００の表示画面には、診断等を受ける患者の名前、年齢、性別等の文字情報が所定位置に配置された内視鏡観察画像が表示される。
【００５３】
このように、実施例１では、術者が新たな診断等を開始する毎に、開始された診断等に対応するＩＣタグ４１６から情報（Ａ）が読み取られて、ビデオプロセッサ２００内で図４の処理フローが実行される。すなわち、術者が新たな診断等を開始すると、診断等を受ける患者の情報がモニタ３００の表示画面に自動的に表示される。そのため、診断等を開始する毎に要求されていた患者の情報の入力操作が不要となる。
【００５４】
［実施例２］
［図５のＳ２０１（情報（Ｂ）の受信）］
図５は、諸情報を用いて実行される実施例２の処理フローを示す。図５に示されるように、実施例２では、ビデオプロセッサ２００のＣＰＵ２０２は、ＩＣタグリーダ４２０から情報（Ｂ）を受信する。情報（Ｂ）には、例えば、術者名、術者の配属科・専門分野、勤務する施設名等の情報が含まれる。
【００５５】
［図５のＳ２０２（プリファレンス情報の呼び出し）］
ビデオプロセッサ２００のＣＰＵ２０２は、ＩＣタグリーダ４２０より受信した情報（Ｂ）に基づいてメモリ２１４のプリファレンスデータベースＤＢ１にアクセスする。プリファレンスデータベースＤＢ１には、術者毎のプリファレンス情報が格納されている。各術者のプリファレンス情報は、施設名、配属科、専門分野、術者名等のフォルダで階層管理されている。そのため、術者のプリファレンス情報は、情報（Ｂ）に基づいて一意に特定される。ＣＰＵ２０２は、情報（Ｂ）に基づき、診断等を行う術者に対応するプリファレンス情報をプリファレンスデータベースＤＢ１から呼び出す。
【００５６】
［図５のＳ２０３（操作機能の設定）］
プリファレンス情報は、電子内視鏡１００の手元操作部１１８及びビデオプロセッサ２００の操作パネル２２２の各種操作スイッチ並びにキーボード４００の各キーへの機能の割り当て情報を含む。プリファレンス情報は、例えば、各種操作スイッチ及びキーの機能が術者にとって最適なレイアウトで配置されるように予め作成され、プリファレンスデータベースＤＢ１に格納されている。
【００５７】
ビデオプロセッサ２００のＣＰＵ２０２は、プリファレンスデータベースＤＢ１より呼び出したプリファレンス情報に基づいて各種操作スイッチ及びキーに対して操作機能の設定を行う。プリファレンス情報は、例えば、キーボード４００のファンクションキーや、電子内視鏡１００の手元操作部１１８及びビデオプロセッサ２００の操作パネル２２２の各種操作スイッチに割り当てる機能の設定情報を含む。ＣＰＵ２０２は、プリファレンス情報に基づき、例えば、術者が使用する頻度の高い機能をファンクションキーに割り当てたり、術者の利き手に適したレイアウトで機能が並ぶようにファンクションキーへの機能の割り当てを行ったりする。
【００５８】
このように、実施例２では、術者が新たな診断等を開始する毎に、開始された診断等に対応するＩＣタグ４１６から情報（Ｂ）が読み取られて、ビデオプロセッサ２００内で図５の処理フローが実行される。そのため、術者は、電子内視鏡システム１を使用する際、各種操作スイッチ及びキーをカスタマイズした機能に設定変更する操作を行うことなく、自身の好みや癖等に適した操作性を得ることができる。
【００５９】
なお、キーボード４００には、発光素子群を持つ発光回路４３０が内蔵されている。発光回路４３０の各発光素子は、各キーの直下に配置されており、ビデオプロセッサ２００のＣＰＵ２０２による制御に基づいて種々の色の光を放射することができる。各キーは半透明体であるため、発光素子より放射される光に応じて着色される。プリファレンス情報には、発光素子の発光色の情報も含まれる。ＣＰＵ２０２は、プリファレンス情報に基づき、例えば、術者が使用する頻度の高い機能が割り当てられたキーが特定の色で着色されるように発光回路４３０を制御する。
【００６０】
［実施例３］
［図６のＳ３０１（情報（Ｃ）の受信）］
図６は、諸情報を用いて実行される実施例３の処理フローを示す。図６に示されるように、実施例３では、ビデオプロセッサ２００のＣＰＵ２０２は、ＩＣタグリーダ４２０から情報（Ｃ）を受信する。情報（Ｃ）には、例えば、内視鏡的粘膜切除術、胃切除術、結腸切除術等の情報が含まれる。
【００６１】
［図６のＳ３０２（操作機能設定情報の呼び出し）］
ビデオプロセッサ２００のＣＰＵ２０２は、ＩＣタグリーダ４２０より受信した情報（Ｃ）に基づいてメモリ２１４の術式データベースＤＢ２にアクセスする。術式データベースＤＢ２には、術式毎の操作機能設定情報が格納されている。ＣＰＵ２０２は、情報（Ｃ）に基づき、診断等の術式に対応する操作機能設定情報を術式データベースＤＢ２から呼び出す。
【００６２】
［図６のＳ３０３（操作機能の設定）］
操作機能設定情報は、電子内視鏡１００の手元操作部１１８及びビデオプロセッサ２００の操作パネル２２２の各種操作スイッチ並びにキーボード４００の各キーへの機能の割り当て情報を含む。操作機能設定情報は、例えば、各種操作スイッチ及びキーの機能が術式に最適なレイアウトで配置されるように予め作成され、術式データベースＤＢ２に格納されている。
【００６３】
ビデオプロセッサ２００のＣＰＵ２０２は、術式データベースＤＢ２より呼び出した操作機能設定情報に基づいて各種操作スイッチ及びキーに対して操作機能の設定を行う。操作機能設定情報は、例えば、キーボード４００のファンクションキーや、電子内視鏡１００の手元操作部１１８及びビデオプロセッサ２００の操作パネル２２２の各種操作スイッチに割り当てる機能の設定情報を含む。ＣＰＵ２０２は、操作機能設定情報に基づき、例えば、術式で使用される頻度の高い機能をファンクションキーに割り当てる。
【００６４】
また、各種操作スイッチ及びキーの中で機能が固定されているもの（以下、「機能固定スイッチ及びキー」と記す。）が含まれる場合を考える。この場合、ビデオプロセッサ２００のＣＰＵ２０２は、操作機能設定情報に基づき、術式で使用可能性がある機能固定スイッチ及びキーについては有効（操作されたときに機能を発揮できる状態）に設定し、術式で使用可能性のない機能固定スイッチ及びキーについては無効（操作されたときに機能を発揮できない状態）に設定する。有効に設定された機能固定キーは、例えば発光回路４３０の発光素子により特定の色で着色される。無効に設定された機能固定キー対しては、発光素子による着色が行われない（すなわち、発光素子が点灯しない。）。
【００６５】
このように、実施例３では、術者が新たな診断等を開始する毎に、開始された診断等に対応するＩＣタグ４１６から情報（Ｃ）が読み取られて、ビデオプロセッサ２００内で図６の処理フローが実行される。すなわち、術者が新たな診断等を開始すると、開始された診断等の術式に適した操作機能の設定が自動的に行われる。
【００６６】
［実施例４］
［図７のＳ４０１（情報（Ｄ）の受信）］
図７は、諸情報を用いて実行される実施例４の処理フローを示す。図７に示されるように、実施例４では、ビデオプロセッサ２００のＣＰＵ２０２は、ＩＣタグリーダ４２０から情報（Ｄ）を受信する。情報（Ｄ）には、例えば、電子内視鏡の種類（喉頭内視鏡、気管支鏡、上部消化管内視鏡、小腸内視鏡、大腸内視鏡等）、電子内視鏡及びビデオプロセッサの型番等の情報が含まれる。
【００６７】
［図７のＳ４０２（操作機能設定情報の呼び出し）］
ビデオプロセッサ２００のＣＰＵ２０２は、ＩＣタグリーダ４２０より受信した情報（Ｄ）に基づいてメモリ２１４のシステム構成データベースＤＢ３にアクセスする。機器データベースＤＢ３には、システム構成（電子内視鏡＋ビデオプロセッサ）毎の操作機能設定情報が格納されている。ＣＰＵ２０２は、情報（Ｄ）に基づき、現在のシステム構成（電子内視鏡１００＋ビデオプロセッサ２００）に対応する操作機能設定情報をシステム構成データベースＤＢ３から呼び出す。
【００６８】
［図７のＳ４０３（操作機能の設定）］
操作機能設定情報は、電子内視鏡１００の手元操作部１１８及びビデオプロセッサ２００の操作パネル２２２の各種操作スイッチ並びにキーボード４００の各キーへの機能の割り当て情報を含む。操作機能設定情報は、例えば、システム構成で使用可能な機能が各種操作スイッチ及びキーに割り当てられるように予め作成され、システム構成データベースＤＢ３に格納されている。
【００６９】
ビデオプロセッサ２００のＣＰＵ２０２は、システム構成データベースＤＢ３より呼び出した操作機能設定情報に基づいて各種操作スイッチ及びキーに対して操作機能の設定を行う。操作機能設定情報は、例えば、キーボード４００のファンクションキーや、電子内視鏡１００の手元操作部１１８及びビデオプロセッサ２００の操作パネル２２２の各種操作スイッチに割り当てる機能の設定情報を含む。ＣＰＵ２０２は、操作機能設定情報に基づき、例えば、現在のシステム構成で使用可能な機能をファンクションキーに割り当てる。ファンクションキーに割り当てられる機能は、現在のシステム構成で使用される頻度の高い機能が望ましい。
【００７０】
また、ＣＰＵ２０２は、操作機能設定情報に基づき、現在のシステム構成で使用可能性がある機能固定スイッチ及びキーについては有効に設定し、現在のシステム構成で使用可能性のない機能固定スイッチ及びキーについては無効に設定する。ここで、機能固定キーの一例として、電子ズーム用のキーを挙げる。例えば、大腸内視鏡の固体撮像素子は画素数が多い。そのため、モニタ３００の表示画面には、内視鏡観察画像が大きく表示される。一方、気管支鏡の固体撮像素子は画素数が少ない。そのため、モニタ３００の表示画面には、内視鏡観察画像が小さく表示される。本実施例では、前者については、術者が内視鏡観察画像を電子ズームにより拡大表示させる可能性がないものと考える。そのため、電子ズーム用のキー（拡大キー）は無効に設定される。一方、後者については、術者が内視鏡観察画像を電子ズームにより拡大表示させる可能性があるものと考える。そのため、電子ズーム用のキー（拡大キー）は有効に設定される。
【００７１】
このように、実施例４では、術者が新たな診断等を開始する毎に、開始された診断等に対応するＩＣタグ４１６から情報（Ｄ）が読み取られて、ビデオプロセッサ２００内で図７の処理フローが実行される。すなわち、術者が新たな診断等を開始すると、開始された診断等に用いられる電子内視鏡１００やビデオプロセッサ２００に適した操作機能の設定が自動的に行われる。
【００７２】
以上が本発明の例示的な実施形態の説明である。本発明の実施形態は、上記に説明したものに限定されず、本発明の技術的思想の範囲において様々な変形が可能である。例えば明細書中に例示的に明示される実施形態又は自明な実施形態を適宜組み合わせた内容も本願の実施形態に含まれる。例えば、本実施形態のキーボード４００は、ハードウェアキーを有するキーボードであるが、別の実施形態のキーボードは、タッチパネル式キーボードであってもよい。この場合、キーボードカバーのカバー本体は、例えば全面フラットなシートであり、タッチパネル面全面を覆うことが可能なサイズを有している。シートには、本実施形態のカバー本体４１２と同様に、ＩＣタグシールが貼付されている。タッチパネル面には、ＩＣタグシールのＩＣタグより読み取られた諸情報に対応するプリファレンス情報や操作機能設定情報に基づいて各種機能のキーがレイアウトされ表示される。
【００７３】
図８（ａ）は、別の実施形態のキーボード４００Ｚの側面図を示す。図８（ｂ）は、別の実施形態のキーボードカバー４１０Ｚの側面図を示す。キーボード４００Ｚは、バーコードリーダ（不図示）を内蔵している。図８（ａ）に示されるように、キーボード４００Ｚの側面には、バーコードを読み取るための投受光窓４４０Ｚが設けられている。また、図８（ｂ）に示されるように、キーボードカバー４１０Ｚにはバーコードシール４１４Ｚが貼付されている。バーコードシール４１４Ｚのプリント面には、ＩＣタグ４１６と同様の、診断等に関する諸情報が印字されている。
【００７４】
別の実施形態において、キーボード４００Ｚには、次に予定されている診断等に対応するキーボードカバー４１０Ｚが一枚だけ被せられる。キーボードカバー４１０Ｚをキーボード４００Ｚに被せると、バーコードシール４１４Ｚのプリント面が投受光窓４４０Ｚと正対する。そのため、バーコードリーダは、プリント面に印字された諸情報を読み取ることができる。キーボードカバー４１０Ｚは、診断等が終わった段階でキーボードカバー４１０Ｚより剥がされて破棄される。そして、キーボードカバー４１０Ｚには、次に予定されている診断等に対応するキーボードカバー４１０Ｚが被せられる。別の実施形態では、ＩＣタグシール４１４に代えてバーコードシール４１４Ｚを用いることにより、キーボードカバー４１０Ｚのコストが抑えられる。
【符号の説明】
【００７５】
１  電子内視鏡システム
１００  電子内視鏡
１０２  ＬＣＢ
１０４  配光レンズ
１０６  対物レンズ
１０８  固体撮像素子
１１０  ＣＰＵ
１１２  メモリ
１１４  タイミング回路
１１６  駆動回路
１１８  手元操作部
２００  ビデオプロセッサ
２０２  ＣＰＵ
２０４  タイミング回路
２０６  光源部
２０８  映像信号処理回路
２１０Ｒ  Ｒメモリ
２１０Ｇ  Ｇメモリ
２１０Ｂ  Ｂメモリ
２１２  画像処理回路
２１４  メモリ
２１６  加算回路
２１８  アンプ
２２０  キャラクタ生成回路
２２２  操作パネル
３００  モニタ
４００、４００Ｚ  キーボード
４１０、４１０Ｚ  キーボードカバー
４１２  カバー本体
４１４  ＩＣタグシール
４１４Ｚ  バーコードシール
４１６  ＩＣタグ
４２０  ＩＣタグリーダ
４３０  発光回路
４４０Ｚ  投受光窓
５００  プリンタ
６００  ＰＣ
７００  ＶＴＲ
ＤＢ１  プリファレンスデータベース
ＤＢ２  術式データベース
ＤＢ３  システム構成データベース
【図１】
2014144073.tif 000003
【図２】
2014144073.tif 000004
【図３】
2014144073.tif 000005
【図４】
2014144073.tif 000006
【図５】
2014144073.tif 000007
【図６】
2014144073.tif 000008
【図７】
2014144073.tif 000009
【図８】
2014144073.tif 000010